(57)【要約】【課題】通信サービスの使用を継続できる移動端末装置等を提供する。【解決手段】移動端末４は、複数の基地局３の内、通信サービスを提供するエッジサーバ８を搭載した基地局３Ａと無線接続し、当該エッジサーバから通信サービスを取得する。移動端末４は、記憶部８１と、判定部８８と、ＭＲ応答部８９とを有する。記憶部は、エッジサーバを搭載した基地局を識別する識別情報を記憶する。判定部は、基地局からＭＲ(Measurement  Report)要求を受信した場合に、ＭＲ要求元の基地局の識別情報が記憶部にあるか否かを判定する。応答部は、ＭＲ要求元の基地局の識別情報が記憶部内にある場合に、ＭＲ要求に応答するＭＲ応答を送信すると共に、ＭＲ要求元の基地局の識別情報が記憶部内にない場合に、ＭＲ要求に応答するＭＲ応答の送信を保留する。【選択図】図１２
2019097041.tif 000002
【特許請求の範囲】
【請求項１】
複数の基地局の内、通信サービスを提供するサーバを搭載した基地局と無線接続し、当該サーバから通信サービスを取得する移動端末装置であって、
前記サーバを搭載した前記基地局を識別する識別情報を記憶した記憶部と、
前記基地局からＭＲ(Measurement  Report)要求を受信した場合に、ＭＲ要求元の基地局の識別情報が前記記憶部にあるか否かを判定する判定部と、
前記ＭＲ要求元の基地局の識別情報が前記記憶部内にある場合に、前記ＭＲ要求に応答するＭＲ応答を送信すると共に、前記ＭＲ要求元の基地局の識別情報が前記記憶部内にない場合に、前記ＭＲ要求に応答するＭＲ応答の送信を保留する応答部と
を有することを特徴とする移動端末装置。
【請求項２】
前記応答部は、
前記ＭＲ要求元の基地局の識別情報が前記記憶部内にない場合に、前記ＭＲ要求を受信してから所定時間経過するまで前記ＭＲ応答の送信を保留し、前記所定時間経過後に、前記ＭＲ応答を送信することを特徴とする請求項１に記載の移動端末装置。
【請求項３】
前記判定部は、
接続元の基地局との受信電界強度が所定レベルを低下して前記接続元の基地局との通信状態が圏外となって、当該移動端末装置の周辺の基地局からのＭＲ要求を受信した場合に、前記ＭＲ要求元の基地局の識別情報が前記記憶部内にあるか否かを判定し、
前記応答部は、
前記ＭＲ要求元の基地局の識別情報が前記記憶部内にある場合に、前記ＭＲ要求に応答する前記ＭＲ応答を前記ＭＲ要求元の基地局に送信することを特徴とする請求項１又は２に記載の移動端末装置。
【請求項４】
前記応答部は、
接続元の基地局との受信電界強度が所定レベルを低下して前記接続元の基地局との通信状態が圏内を維持して、前記接続元の基地局から周辺の基地局に関わるＭＲ要求を受信した場合に、前記ＭＲ要求元の基地局の識別情報が前記記憶部内にあるか否かを判定し、
前記応答部は、
前記周辺の基地局の識別情報が前記記憶部内にある場合に、前記ＭＲ要求に応答する前記ＭＲ応答を前記接続元の基地局に送信することを特徴とする請求項１〜３の何れか一つに記載の移動端末装置。
【請求項５】
複数の基地局と、複数の基地局の内、通信サービスを提供するサーバを搭載した基地局と無線接続し、当該サーバから通信サービスを取得する移動端末装置とを有する無線システムであって、
前記移動端末装置は、
前記サーバを搭載した前記基地局を識別する識別情報を記憶した記憶部と、
前記基地局からＭＲ(Measurement  Report)要求を受信した場合に、ＭＲ要求元の基地局の識別情報が前記記憶部にあるか否かを判定する判定部と、
前記ＭＲ要求元の基地局の識別情報が前記記憶部内にある場合に、前記ＭＲ要求に応答するＭＲ応答を送信すると共に、前記ＭＲ要求元の基地局の識別情報が前記記憶部内にない場合に、前記ＭＲ要求に応答するＭＲ応答の送信を保留する応答部と
を有することを特徴とする無線システム。
【請求項６】
複数の基地局の内、通信サービスを提供するサーバを搭載した基地局と無線接続し、当該サーバから通信サービスを取得する移動端末装置が、
前記サーバを搭載した前記基地局を識別する識別情報を記憶部に記憶しておき、
前記基地局からＭＲ(Measurement  Report)要求を受信した場合に、ＭＲ要求元の基地局の識別情報が前記記憶部にあるか否かを判定し、
前記ＭＲ要求元の基地局の識別情報が前記記憶部内にある場合に、前記ＭＲ要求に応答するＭＲ応答を送信すると共に、前記ＭＲ要求元の基地局の識別情報が前記記憶部内にない場合に、前記ＭＲ要求に応答するＭＲ応答の送信を保留する
処理を実行することを特徴とするＭＲ応答方法。
【請求項７】
複数の基地局の内、通信サービスを提供するサーバを搭載した基地局と無線接続し、当該サーバから通信サービスを取得する情報処理装置に、
前記サーバを搭載した前記基地局を識別する識別情報を記憶部に記憶しておき、
前記基地局からＭＲ(Measurement  Report)要求を受信した場合に、ＭＲ要求元の基地局の識別情報が前記記憶部にあるか否かを判定し、
前記ＭＲ要求元の基地局の識別情報が前記記憶部内にある場合に、前記ＭＲ要求に応答するＭＲ応答を送信すると共に、前記ＭＲ要求元の基地局の識別情報が前記記憶部内にない場合に、前記ＭＲ要求に応答するＭＲ応答の送信を保留する
処理を実行することを特徴とするＭＲ応答プログラム。
【発明の詳細な説明】
【技術分野】
【０００１】
本発明は、移動端末装置、無線システム、ＭＲ応答方法及びＭＲ応答プログラムに関する。
【背景技術】
【０００２】
例えば、コアネットワーク上に配置されたアプリサーバでは、移動端末と接続して、動画視聴アプリケーション等の通信サービスを移動端末に提供している。しかしながら、移動端末は、アプリサーバとの伝送距離が長くなると、通信サービスでのデータ遅延が生じる。そこで、近年では、アプリサーバの他に、通信サービスを提供するエッジサーバを、例えば、移動端末を収容接続する基地局内に配置して、移動端末との伝送距離を短くすることで、データ遅延を抑制するエッジコンピューティングが知られている。
【０００３】
例えば、移動端末が、通信サービスを使用中に移動に応じて電波の不感地帯に進入した場合、基地局との通信が不可となる。そして、移動端末は、更なる移動に応じて不感地帯を離脱して圏内復帰した後、通信サービスを提供するエッジサーバを搭載した基地局との接続を開始して通信サービスの使用を継続できる。
【先行技術文献】
【特許文献】
【０００４】
【特許文献１】国際公開第２０１７／０４３２０４号
【発明の概要】
【発明が解決しようとする課題】
【０００５】
しかしながら、基地局には、エッジサーバを搭載した搭載あり基地局と、エッジサーバを搭載していない搭載なし基地局とがある。従って、移動端末が、通信サービス使用中に不感地帯から圏内復帰した場合、複数の基地局の中から搭載あり基地局を探索するまでに時間を要し、通信サービス再開までに時間を要し、通信サービスの使用を継続できない。
【０００６】
また、移動端末が、通信サービス使用中に移動に応じて接続元の基地局との受信レベルが低下した場合に受信レベルが良好な切替先の基地局に切替えるハンドオーバ機能を起動する。しかしながら、移動端末は、ハンドオーバを実行したとしても、複数の切替先の基地局の中から搭載あり基地局を探索するまでに時間を要し、通信サービス再開までに時間を要し、通信サービスの使用を継続できない。
【０００７】
一つの側面では、通信サービスの使用を継続できる移動端末装置等を提供することにある。
【課題を解決するための手段】
【０００８】
一つの態様では、移動端末装置は、複数の基地局の内、通信サービスを提供するサーバを搭載した基地局と無線接続し、当該サーバから通信サービスを取得する。移動端末装置は、記憶部と、判定部と、応答部とを有する。記憶部は、前記サーバを搭載した前記基地局を識別する識別情報を記憶している。判定部は、前記基地局からＭＲ(Measurement  Report)要求を受信した場合に、ＭＲ要求元の基地局の識別情報が前記記憶部にあるか否かを判定する。応答部は、前記ＭＲ要求元の基地局の識別情報が前記記憶部内にある場合に、前記ＭＲ要求に応答するＭＲ応答を送信すると共に、前記ＭＲ要求元の基地局の識別情報が前記記憶部内にない場合に、前記ＭＲ要求に応答するＭＲ応答の送信を保留する。
【発明の効果】
【０００９】
一つの側面として、通信サービスの使用を継続できる。
【図面の簡単な説明】
【００１０】
【図１】図１は、本実施例の通信システムの一例を示す説明図である。
【図２】図２は、管理サーバのハードウェア構成の一例を示す説明図である。
【図３】図３は、管理サーバ内の機能構成の一例を示す説明図である。
【図４】図４は、マップテーブルの一例を示す説明図である。
【図５】図５は、“１”の搭載なし基地局にエッジサーバを搭載した後のマップテーブルの一例を示す説明図である。
【図６】図６は、一覧表の一例を示す説明図である。
【図７】図７は、基地局のハードウェア構成の一例を示す説明図である。
【図８】図８は、基地局内の機能構成の一例を示す説明図である。
【図９】図９は、エッジサーバのハードウェア構成の一例を示す説明図である。
【図１０】図１０は、エッジサーバ内の機能構成の一例を示す説明図である。
【図１１】図１１は、移動端末のハードウェア構成の一例を示す説明図である。
【図１２】図１２は、移動端末内の機能構成の一例を示す説明図である。
【図１３】図１３は、通信システム全体の動作の一例を示す説明図である。
【図１４】図１４は、配信処理に関わる管理サーバ内の第１のＣＰＵの処理動作の一例を示すフロー図である。
【図１５】図１５は、更新処理に関わる移動端末内の第４のＣＰＵの処理動作の一例を示すフロー図である。
【図１６Ａ】図１６Ａは、ＭＲ応答処理に関わる移動端末内の第４のＣＰＵの処理動作の一例を示すフロー図である。
【図１６Ｂ】図１６Ｂは、ＭＲ応答処理に関わる移動端末内の第４のＣＰＵの処理動作の一例を示すフロー図である。
【図１７】図１７は、ＭＲ応答プログラムを実行する情報処理装置の一例を示す説明図である。
【発明を実施するための形態】
【００１１】
以下、図面に基づいて、本願の開示する移動端末装置等の実施例を詳細に説明する。尚、本実施例により、開示技術が限定されるものではない。また、以下に示す各実施例は、矛盾を起こさない範囲で適宜組み合わせても良い。
【実施例】
【００１２】
図１は、本実施例の通信システム１の一例を示す説明図である。図１に示す通信システム１は、管理サーバ２と、複数の基地局３と、複数の移動端末４とを有する。管理サーバ２と基地局３との間は、例えば、コアネットワーク５等の通信網で接続する。基地局３と移動端末４との間は、例えば、ＬＴＥ(Long  Term  Evolution)網６等の無線通信網で無線接続する。
【００１３】
管理サーバ２は、例えば、全基地局３を管理する集中管理センタに配置された、例えば、ＭＥＣ(Mobile  Edge  Computing)サーバである。更に、コアネットワーク５には、複数のアプリサーバ７が接続されている。アプリサーバ７は、コアネットワーク５経由で移動端末４と接続し、移動端末４に対して動画視聴アプリケーション等の通信サービスを提供する。基地局３には、移動端末４に対して通信サービスを提供するエッジサーバ８を搭載した搭載あり基地局３Ａと、エッジサーバ８を搭載していない搭載なし基地局３Ｂとがある。エッジサーバ８は、通信サービスを移動端末４に提供するエッジコンピューティング方式のサーバである。搭載あり基地局３Ａは、その内部にエッジサーバ８を搭載している場合の他に、エッジサーバ８と近距離で外部接続している場合も含むものとする。搭載あり基地局３Ａは、自局が収容して無線接続する移動端末４に対して、自局に搭載したエッジサーバ８から通信サービスを提供する。
【００１４】
図２は、管理サーバ２のハードウェア構成の一例を示す説明図である。管理サーバ２は、通信システム１内の全基地局３を管理するサーバである。図２に示す管理サーバ２は、ＮＷＩＦ(Network  Interface)１１と、入出力ＩＦ(Interface)１２と、ＨＤＤ(Hard  Diｓk  Drive)１３と、メモリ１４と、第１のＣＰＵ(Central  Processing  Unit)１５とを有する。ＮＷＩＦ１１は、コアネットワーク５との間の通信を司る通信ＩＦである。入出力ＩＦ１２は、例えば、表示部や操作部等のＩＦである。ＨＤＤ１３は、各種情報を記憶する記憶装置である。メモリ１４は、例えば、第１のＣＰＵ１５が実行するプログラム機能を展開する作業領域を含むＲＡＭ（Random  Access  Memory）等の記憶領域である。第１のＣＰＵ１５は、管理サーバ２全体を制御する。
【００１５】
図３は、管理サーバ２内の機能構成の一例を示す説明図である。図３に示す管理サーバ２は、ＮＷＩＦ１１の他に、マップテーブル２１と、一覧表ＤＢ２２と、入力処理部２３と、出力処理部２４と、検索部２５と、更新部２６と、確認部２７と、配信部２８と、第１の制御部２９とを有する。尚、第１のＣＰＵ１５は、読み出したプログラムをメモリ１４上に展開することで、入力処理部２３、出力処理部２４、検索部２５、更新部２６、確認部２７、配信部２８及び第１の制御部２９を機能として実行する。マップテーブル２１及び一覧表ＤＢ２２は、例えば、ＨＤＤ１３内に記憶されているものとする。マップテーブル２１は、管理サーバ２が管理する各基地局３を隣接状況が解るようにマップ化し、基地局３毎に隣接する周辺の基地局３を管理するマップ情報を記憶しているテーブルである。マップ情報内では、基地局３を基地局ＩＤで識別するものとする。基地局ＩＤは、基地局３を識別する識別情報である。一覧表ＤＢ２２は、搭載あり基地局３Ａの基地局ＩＤ毎に、当該搭載あり基地局３Ａと隣接する周辺の搭載あり基地局３Ａの基地局ＩＤを対応付けて管理するデータベースである。
【００１６】
入力処理部２３は、ＮＷＩＦ１１からの入力データを処理する処理部である。出力処理部２４は、ＮＷＩＦ１１への出力データを処理する処理部である。検索部２５は、マップテーブル２１及び一覧表ＤＢ２２から対象基地局周辺の基地局ＩＤを検索する処理部である。更新部２６は、マップテーブル２１及び一覧表ＤＢ２２の内容を更新制御する処理部である。確認部２７は、一覧表ＤＢ２２内の一覧表の更新内容を確認する処理部である。配信部２８は、一覧表ＤＢ２２内の更新を検出した場合、その更新内容を配下の基地局３に配信する処理部である。第１の制御部２９は、管理サーバ２全体を制御する処理部である。
【００１７】
図４は、マップテーブル２１の一例を示す説明図である。図４に示すマップテーブル２１の枠内の数字は、基地局３を識別する基地局ＩＤを示し、図中の白枠内の数字は、搭載なし基地局３Ｂの基地局ＩＤを示し、図中の斜線枠内の数字は、搭載あり基地局３Ａの基地局ＩＤを示している。第１のＣＰＵ１５は、マップテーブル２１を参照し、例えば、“１”の搭載なし基地局３Ｂに着目した場合、その“１”の搭載なし基地局３Ｂと隣接する周辺基地局３として“２”〜“９”の搭載なし基地局３Ｂを識別できる。第１のＣＰＵ１５は、例えば、“１１”の搭載あり基地局３Ａに着目した場合、周辺基地局３として、“２”、“３”、“９”、“２７”及び“１２”の搭載なし基地局３Ｂと、“１０”、“２８”及び“２９”の搭載あり基地局３Ａとを識別できる。
【００１８】
第１のＣＰＵ１５は、マップテーブル２１のテーブル内容に基づき、一覧表ＤＢ２２を更新する。図５は、“１”の搭載なし基地局３Ｂにエッジサーバ８を搭載した後のマップテーブル２１の一例を示す説明図である。第１のＣＰＵ１５は、“１”の基地局３からエッジサーバ８搭載の新規設置の通知を検出した場合、図４の白枠で示す“１”の搭載なし基地局３Ｂを図５の斜線枠で示す搭載あり基地局３Ａに変更する。そして、第１のＣＰＵ１５は、図５に示すマップテーブル２１のテーブル内容に基づき、“１”の搭載あり基地局３Ａを追加すべく、一覧表ＤＢ２２を更新することになる。
【００１９】
図６は、一覧表の一例を示す説明図である。図６に示す一覧表は、搭載あり基地局３Ａを識別する基地局ＩＤ毎に、当該搭載あり基地局３Ａに隣接する周辺の搭載あり基地局３Ａを識別する基地局ＩＤを対応付けて管理するものである。尚、一覧表は、一覧表ＤＢ２２に記憶されているものとする。第１のＣＰＵ１５は、図６に示す一覧表を参照し、例えば、“１０”の搭載あり基地局３Ａに着目した場合、“１０”の搭載あり基地局３Ａに対応する周辺の搭載あり基地局として“１１”及び“２８”の搭載あり基地局３Ａを識別する。また、第１のＣＰＵ１５は、例えば、“１”の搭載あり基地局３Ａの新規設置の通知を検出した場合、“１”の搭載あり基地局３Ａと、“１”の搭載あり基地局３Ａと隣接する周辺の搭載あり基地局３Ａとして“Ｎｕｌｌ（なし）”とを対応付けて一覧表に追加する。
【００２０】
図７は、基地局３のハードウェア構成の一例を示す説明図である。図７に示す基地局３は、ＮＷＩＦ３１と、無線ＩＦ３２と、入出力ＩＦ３３と、ＨＤＤ３４と、メモリ３５と、第２のＣＰＵ３６とを有する。基地局３は、移動端末４を無線で収容接続する装置である。ＮＷＩＦ３１は、コアネットワーク５との間の通信を司る通信ＩＦである。無線ＩＦ３２は、ＬＴＥ網６との間の通信を司る無線アンテナ及び無線通信機能等の通信ＩＦである。
【００２１】
図８は、基地局３内の機能構成の一例を示す説明図である。図８に示す基地局３は、ＮＷＩＦ３１及び無線ＩＦ３２の他に、基本機能部４０を有する。尚、第２のＣＰＵ３６は、読み出したプログラムをメモリ３５上に展開することで、基本機能部４０を機能として実行する。基本機能部４０は、基地局３としての基本機能を有し、ＭＲ要求部４１、ＭＲ受信部４２、ハンドオーバ機能部４３及び第２の制御部４４を機能として実行する。ＭＲ要求部４１は、自局周辺の移動端末４に対して自局との受信電界強度の測定結果であるＭＲ（Measurement  Report）を要求するＭＲ要求を送信する処理部である。尚、ＭＲ要求は、移動端末４に対して自局とのＭＲを要求するメッセージである。尚、ＭＲ要求には、ＭＲ要求元の基地局３の基地局ＩＤを含むものとする。移動端末４は、ＭＲ要求に応じてＭＲ要求元の基地局３との間の受信電界強度を測定し、その測定結果であるＭＲをＭＲ応答としてＭＲ要求元の基地局３に送信する。ＭＲ応答は、移動端末４からのＭＲを報知するメッセージである。ＭＲ受信部４２は、ＭＲ要求に対するＭＲ応答を移動端末４から受信すると共に、ＭＲ応答に基づき、移動端末４との通信を制御する処理部である。
【００２２】
ハンドオーバ機能部４３は、自局が収容する移動端末４に対して周辺ＭＲ要求をＭＲ要求部４１に送信させると共に、周辺ＭＲ要求に対するＭＲ応答をＭＲ受信部４２に受信させ、受信したＭＲ応答に基づき、移動端末４との通信を制御する処理部である。尚、周辺ＭＲ要求は、移動端末４に対して周辺基地局３とのＭＲを要求する、例えば、RRC  Connection  Reconfiguration等のメッセージである。周辺ＭＲ応答は、ＭＲ要求元基地局３に対して周辺基地局３とのＭＲを報知するメッセージである。移動端末４は、周辺ＭＲ要求に応じて自局周辺の基地局３の受信電界強度を測定し、その測定結果である周辺基地局３のＭＲを生成する。第２の制御部４４は、自局全体を制御する処理部である。
【００２３】
図９は、エッジサーバ８のハードウェア構成の一例を示す説明図である。図９に示すエッジサーバ８は、ＮＷＩＦ５１と、入出力ＩＦ５２と、ＨＤＤ５３と、メモリ５４と、第３のＣＰＵ５５とを有する。ＮＷＩＦ５１は、コアネットワーク５との間の通信を司る通信ＩＦである。エッジサーバ８は、例えば、搭載あり基地局３Ａ内に搭載し、搭載あり基地局３Ａを通じて移動端末４に通信サービスを提供するサーバである。
【００２４】
図１０は、エッジサーバ８内の機能構成の一例を示す説明図である。図１０に示すエッジサーバ８は、ＮＷＩＦ５１の他に、一覧表メモリ６１と、入力処理部６２と、出力処理部６３と、配信応答部６４と、メモリ更新部６５と、要求受信部６６と、取得部６７と、応答部６８と、通知部６９と、第３の制御部７０とを有する。尚、第３のＣＰＵ５５は、読み出したプログラムをメモリ５４上に展開することで、入力処理部６２、出力処理部６３、配信応答部６４、メモリ更新部６５、要求受信部６６、取得部６７、応答部６８、通知部６９及び第３の制御部７０を機能として実行する。
【００２５】
入力処理部６２は、ＮＷＩＦ５１からのデータを入力する処理部である。出力処理部６３は、ＮＷＩＦ５１へのデータを出力する処理部である。配信応答部６４は、ＮＷＩＦ５１経由で管理サーバ２から配信された一覧表情報を受信する処理部である。尚、一覧表情報は、管理サーバ２が管理する一覧表である。更新部６５は、配信応答部６４で受信した一覧表情報で一覧表メモリ６１内の一覧表を更新する処理部である。
【００２６】
要求受信部６６は、ＮＷＩＦ５１経由で移動端末４から一覧表要求を受信する処理部である。尚、一覧表要求は、移動端末４から一覧表を要求するメッセージである。取得部６７は、一覧表要求を受信した場合、一覧表を一覧表メモリ６１から取得する処理部である。応答部６８は、取得部６７にて取得した一覧表を一覧表要求の移動端末４に通知する処理部である。通知部６９は、エッジサーバ８の新規設置の通知をＮＷＩＦ５１経由で管理サーバ２に送信する処理部である。尚、新規設置は、搭載なし基地局３Ｂに新規のエッジサーバ８を搭載した場合の新規設置や、新規の搭載あり基地局３Ａを通信システム１に新規設置した場合の新規設置である。
【００２７】
図１１は、移動端末４のハードウェア構成の一例を示す説明図である。図１１に示す移動端末４は、無線ＩＦ７１と、入出力ＩＦ７２と、メモリ７３と、第４のＣＰＵ７４とを有する。移動端末４は、基地局３に無線で収容接続される端末装置である。移動端末４は、例えば、基地局３Ａの場合、基地局３Ａを通じてエッジサーバ８から通信サービスを取得すると共に、例えば、基地局３Ｂの場合、コアネットワーク５及び基地局３Ｂを通じてアプリサーバ７から通信サービスを取得する。無線ＩＦ７１は、ＬＴＥ網６との間の通信を司る無線アンテナ及び無線通信機能等の通信ＩＦである。
【００２８】
図１２は、移動端末４内の機能構成の一例を示す説明図である。図１２に示す移動端末４は、無線ＩＦ７１の他に、記憶部８１と、入力処理部８２と、出力処理部８３と、一覧表要求部８４と、一覧表応答部８５とを有する。更に、移動端末４は、ＭＲ要求受信部８６と、抽出部８７と、判定部８８と、ＭＲ応答部８９と、待機タイマ部９０と、第４の制御部９１とを有する。尚、第４のＣＰＵ７４は、読み出したプログラムをメモリ７３上に展開する。そして、第４のＣＰＵ７４は、入力処理部８２、出力処理部８３、一覧表要求部８４、一覧表応答部８５、ＭＲ要求受信部８６、抽出部８７、判定部８８、ＭＲ応答部８９、待機タイマ部９０及び第４の制御部９１を機能として実行する。記憶部８１は、メモリ７３に格納されているものとする。
【００２９】
入力処理部８２は、無線ＩＦ７１からのデータを入力する処理部である。出力処理部８３は、無線ＩＦ７１へのデータを出力する処理部である。一覧表要求部８４は、無線ＩＦ７１経由で搭載あり基地局３Ａ内のエッジサーバ８に一覧表を要求する処理部である。一覧表応答部８５は、無線ＩＦ７１経由で搭載あり基地局３Ａ内のエッジサーバ８から一覧表要求に応じた一覧表を受信し、受信した一覧表を記憶部８１に更新する処理部である。
【００３０】
ＭＲ要求受信部８６は、例えば、不感地帯から離脱した場合、無線ＩＦ７１経由で周辺基地局３からＭＲ要求を受信すると共に、ＭＲ要求に応じてＭＲ要求元の基地局３との間の受信電界強度を測定する処理部である。尚、ＭＲ要求には、ＭＲ要求を発行した基地局３を識別する基地局ＩＤが格納されているものとする。抽出部８７は、ＭＲ要求受信部８６にて受信したＭＲ要求から基地局ＩＤを抽出する処理部である。判定部８８は、抽出部８７にて抽出された基地局ＩＤが記憶部８１に記憶中の一覧表にあるか否かを判定する処理部である。ＭＲ応答部８９は、基地局ＩＤが一覧表にある場合、当該基地局ＩＤの基地局３に対してＭＲ応答を無線ＩＦ７１経由で送信する処理部である。
【００３１】
待機タイマ部９０は、ＭＲ要求受信部８６でＭＲ要求を受信した場合、待機タイマの計測動作を開始する処理部である。尚、待機タイマ部９０のタイマ時間は、例えば、１０ｍ秒としたが、適宜変更可能である。ＭＲ応答部８９は、ＭＲ要求元基地局３の基地局ＩＤが一覧表にない場合、待機タイマ部９０がタイムアップするまでＭＲ応答の送信を待機する。そして、ＭＲ応答部８９は、待機タイマ部９０がタイムアップした場合には、ＭＲ要求元の基地局３に対してＭＲ応答を送信する。
【００３２】
つまり、ＭＲ応答部８９は、例えば、不感地帯から離脱した場合、ＭＲ要求元の基地局３が一覧表にある場合、すなわち、ＭＲ要求元の基地局３が搭載あり基地局３Ａの場合、当該ＭＲ要求元の基地局３に対してＭＲ応答を送信する。ＭＲ応答部８９は、ＭＲ要求元の基地局３が一覧表になく、待機タイマがタイムアップした場合、全てのＭＲ要求元の搭載なしの基地局３ＢにＭＲ応答を送信する。
【００３３】
搭載あり基地局３Ａは、移動端末４からのＭＲ応答を受信した場合、当該移動端末４との接続を要求する。そして、移動端末４は、搭載あり基地局３Ａからの接続要求に応じて、搭載あり基地局３Ａとの通信を開始する。その結果、移動端末４は、通信開始の搭載あり基地局３Ａ内のエッジサーバ８から通信サービスを享受することになる。これに対して、搭載なし基地局３Ｂは、移動端末４からのＭＲ応答を受信した場合、ＭＲ応答に基づき、移動端末４との接続を要求する。そして、移動端末４は、搭載なし基地局３Ｂからの接続要求に応じて、搭載なし基地局３Ｂとの通信を開始する。その結果、移動端末４は、搭載なし基地局３Ｂを通じてコアネットワーク５に接続するアプリサーバ７から通信サービスを享受することになる。
【００３４】
また、ＭＲ要求受信部８６は、例えば、ハンドオーバを起動した場合、無線ＩＦ７１経由で接続元の基地局３から周辺ＭＲ要求を受信すると共に、周辺ＭＲ要求に応じて周辺の基地局３との間の受信電界強度を測定する。尚、周辺ＭＲ要求には、接続元の基地局３周辺の基地局３を識別する基地局ＩＤが格納されているものとする。抽出部８７は、ＭＲ要求受信部８６にて受信した周辺ＭＲ要求から基地局ＩＤを抽出する。判定部８８は、抽出された基地局ＩＤが記憶部８１に記憶中の一覧表にあるか否かを判定する。ＭＲ応答部８９は、基地局ＩＤが一覧表にある場合、接続元の基地局３に対して当該基地局ＩＤのみの周辺ＭＲ応答を無線ＩＦ７１経由で送信する。
【００３５】
待機タイマ部９０は、ＭＲ要求受信部８６で周辺ＭＲ要求を受信した場合、待機タイマの計測動作を開始する。ＭＲ応答部８９は、周辺基地局３の基地局ＩＤが一覧表にない場合、待機タイマ部９０がタイムアップするまで周辺ＭＲ応答の送信を待機する。そして、ＭＲ応答部８９は、待機タイマ部９０がタイムアップした場合には、接続元の基地局３に対して周辺ＭＲ応答を送信する。
【００３６】
つまり、ＭＲ応答部８９は、例えば、ハンドオーバを起動した場合、周辺基地局３が一覧表にある場合、すなわち、周辺基地局３が搭載あり基地局３Ａの場合、当該搭載あり基地局３Ａに関わる周辺ＭＲ応答を接続元の基地局３に送信する。ＭＲ応答部８９は、周辺の基地局３が一覧表になく、待機タイマがタイムアップした場合、周辺の搭載なし基地局３Ｂに関わる周辺ＭＲ応答を接続元の基地局３に送信する。
【００３７】
接続元の基地局３は、移動端末４から搭載あり基地局３Ａに関わる周辺ＭＲ応答を受信した場合、当該搭載あり基地局３Ａに対して移動端末４への接続要求を指示する。切替先の搭載あり基地局３Ａは、周辺ＭＲ応答の移動端末４との接続を要求する。そして、移動端末４は、切替先の搭載あり基地局３Ａからの接続要求に応じて、切替先の搭載あり基地局３Ａとの通信を開始する。その結果、移動端末４は、通信開始の切替先の搭載あり基地局３Ａ内のエッジサーバ８から通信サービスを享受することになる。これに対して、接続元の基地局３は、移動端末４から搭載なし基地局３Ｂに関わる周辺ＭＲ応答を受信した場合、受信レベルが良好な搭載なし基地局３Ｂに対して移動端末４への接続要求を指示する。切替先の搭載あり基地局３Ａは、周辺ＭＲ応答の移動端末４との接続を要求する。そして、移動端末４は、切替先の搭載なし基地局３Ｂからの接続要求に応じて、切替先の搭載なし基地局３Ｂとの通信を開始する。その結果、移動端末４は、搭載なし基地局３Ｂを通じてコアネットワーク５に接続するアプリサーバ７から通信サービスを享受することになる。
【００３８】
次に本実施例の通信システム１の動作について説明する。図１３は、通信システム１全体の動作の一例を示す説明図である。管理サーバ２は、新規設置の通知を検出した場合、一覧表を更新し、一覧表を各搭載あり基地局３Ａ内のエッジサーバ８に配信する（ステップＳ１０１）。各搭載あり基地局３Ａ内のエッジサーバ８は、当該基地局３Ａに収容する移動端末４に一覧表を配信している。その結果、移動端末４は、一覧表を格納している。
【００３９】
移動端末４は、移動に応じて、例えば、“３０”の搭載あり基地局３Ａの通信エリアから不感地帯に進入した場合、“３０”の搭載あり基地局３Ａとの接続を切断する（ステップＳ１０２）。移動端末４は、更なる移動に応じて、不感地帯から離脱した場合、周辺の“２９”の搭載あり基地局３Ａ又は“１３”の搭載なし基地局３ＢからＭＲ要求を受信することになる（ステップＳ１０３）。移動端末４は、ＭＲ要求内の基地局ＩＤが一覧表にあるか否かを判定する。移動端末４は、例えば、ＭＲ要求内の“１３”の基地局ＩＤが一覧表にないため、“１３”の搭載なし基地局３Ｂに対してＭＲ応答を送信しない（ステップＳ１０４）。これに対して、移動端末４は、ＭＲ要求内の“２９”の基地局ＩＤが一覧表にあるため、“２９”の搭載あり基地局３Ａに対してＭＲ応答を送信する（ステップＳ１０５）。その結果、“２９”の搭載あり基地局３Ａは、移動端末４からのＭＲ応答に応じて移動端末４との通信を開始し、基地局３Ａ内に搭載のエッジサーバ８から通信サービスを移動端末４に提供する。
【００４０】
図１４は、配信処理に関わる管理サーバ２内の第１のＣＰＵ１５Ａの処理動作の一例を示すフロー図である。管理サーバ２内の第１のＣＰＵ１５Ａ内の検索部２５は、新規設置の通知を受信したか否かを判定する（ステップＳ１１）。尚、新規設置の通知は、例えば、新規のエッジサーバ８を既存の搭載なし基地局３Ｂに搭載した場合、若しくは、エッジサーバ８を搭載した搭載あり基地局３Ａを通信システム１内に新規に追加した場合に当該基地局３から管理サーバ２に通知するメッセージである。
【００４１】
検索部２５は、新規設置の通知を受信した場合（ステップＳ１１肯定）、新規設置通知内の基地局ＩＤを抽出する（ステップＳ１２）。尚、抽出された基地局ＩＤは、新規のエッジサーバ８を搭載した既存の搭載なし基地局３Ｂや、エッジサーバ８を搭載した新規の搭載あり基地局３Ａを識別するＩＤである。
【００４２】
検索部２５は、マップテーブル２１及び一覧表ＤＢ２２を参照し、新規設置通知に関わる搭載あり基地局３Ａ周辺の搭載あり基地局３Ａを検索する（ステップＳ１３）。検索部２５は、例えば、新規設置の搭載あり基地局３Ａが“１１”の場合、マップテーブル２１を参照し、周辺の搭載あり基地局３Ａとして“２８”、”２９”及び“１０”を検索結果として取得する。第１のＣＰＵ１５内の更新部２６は、検索結果である周辺の搭載あり基地局３Ａに該当する一覧表に、新規の搭載あり基地局３Ａを識別する基地局ＩＤを追加すべく、マップテーブル２１及び一覧表ＤＢ２２を更新する（ステップＳ１４）。更新部２６は、新規設置の搭載あり基地局３Ａが“１１”の場合、搭載あり基地局３Ａの“１１”及び周辺の搭載あり基地局３Ａ“２８”、”２９”及び“１０”を対応付けて一覧表に追加する。
【００４３】
第１のＣＰＵ１５内の配信部２８は、新規設置の搭載あり基地局３Ａに一覧表を配信すると共に、新規設置の搭載あり基地局３Ａ以外の搭載あり基地局３Ａに一覧表の差分情報を配信し（ステップＳ１５）、図１４に示す処理動作を終了する。尚、差分情報とは、新規設置通知前の一覧表と、新規設置通知後の一覧表との差分である。その結果、搭載あり基地局３Ａ内のエッジサーバ８は、配信された差分情報及び一覧表を一覧表メモリ６１に更新する。検索部２５は、新規設置の通知を受信しなかった場合（ステップＳ１１否定）、図１４に示す処理動作を終了する。
【００４４】
図１４に示す配信処理を実行する管理サーバ２は、搭載あり基地局３Ａの新規設置の通知を検出した場合、新規設置の搭載あり基地局３Ａの基地局ＩＤ及び、新規設置の搭載あり基地局３Ａの周辺の搭載あり基地局３Ａの基地局ＩＤを一覧表に追加する。そして、管理サーバ２は、搭載あり基地局３Ａの新規配置の場合、新規配置の搭載あり基地局３Ａに一覧表を配信すると共に、新規配置の搭載あり基地局３Ａ以外の基地局３に一覧表の差分情報を配信する。その結果、各搭載あり基地局３Ａ内のエッジサーバ８は、新規設置を反映した一覧表を確保できる。
【００４５】
管理サーバ２は、既存の搭載なし基地局３Ｂに新規のエッジサーバ８を搭載した新規設置の通知を検出した場合、新規のエッジサーバ８を搭載された基地局３の基地局ＩＤ及び、当該基地局３周辺の搭載あり基地局３Ａの基地局ＩＤを一覧表に追加する。そして、管理サーバ２は、新規のエッジサーバ８を既存の基地局３に搭載した場合、新規のエッジサーバ８の基地局３に一覧表を配信すると共に、新規のエッジサーバ８の基地局３以外の基地局３に一覧表の差分情報を配信する。その結果、各搭載あり基地局３Ａ内のエッジサーバ８は、新規設置を反映した一覧表を確保できる。
【００４６】
図１５は、更新処理に関わる移動端末４内の第４のＣＰＵ７４の処理動作の一例を示すフロー図である。図１５において移動端末４内の第４のＣＰＵ７４内の第４の制御部９１は、接続元の基地局３から接続開始要求を検出したか否かを判定する（ステップＳ２１）。第４のＣＰＵ７４内の一覧表要求部８４は、例えば、接続元の基地局３から接続開始要求を検出した場合（ステップＳ２１肯定）、接続元の基地局３が搭載あり基地局３Ａの場合、接続元の搭載あり基地局３Ａ内のエッジサーバ８に対して一覧表を要求する（ステップＳ２２）。第４のＣＰＵ７４内の一覧表応答部８５は、接続元の基地局３である搭載あり基地局３Ａから一覧表又は差分情報を受信したか否かを判定する（ステップＳ２３）。一覧表応答部８５は、接続元の基地局３である搭載あり基地局３Ａから一覧表又は差分情報を受信した場合（ステップＳ２３肯定）、受信した一覧表及び差分情報で記憶部８１内の一覧表を更新し（ステップＳ２４）、図１５に示す処理動作を終了する。
【００４７】
一覧表応答部８５は、接続元の基地局３である搭載あり基地局３Ａから一覧表又は差分情報を受信しなかった場合（ステップＳ２３否定）、一覧表及び差分情報を受信したか否かを監視すべく、ステップＳ２３に移行する。第４の制御部９１は、接続元の基地局３から接続開始要求を検出しなかった場合（ステップＳ２１否定）、図１５に示す処理動作を終了する。
【００４８】
図１５に示す更新処理を実行する移動端末４は、接続元基地局３である搭載あり基地局３Ａに対する一覧表要求に応じて接続元基地局３のエッジサーバ８から一覧表若しくは差分情報を受信する。移動端末４は、一覧表及び差分情報を受信した場合、受信した一覧表及び差分情報に基づき、記憶部８１に記憶中の一覧表を更新する。その結果、移動端末４は、最新の一覧表を確保できる。
【００４９】
尚、移動端末４は、接続元の搭載あり基地局３Ａからの接続開始要求を検出した場合に搭載あり基地局３Ａに対して一覧表要求を送信したが、これに限定されるものではなく、例えば、定期的に一覧表要求を搭載あり基地局３Ａに送信しても良い。また、移動端末４は、搭載あり基地局３Ａに対する一覧表要求の送信に応じて搭載あり基地局３Ａ内のエッジサーバ８から一覧表を受信したが、これに限定されるものではない。例えば、搭載あり基地局３Ａは、移動端末４から一覧表要求を受信しなくても、一覧表に変化が生じた場合には収容する移動端末４に対して一覧表又は差分情報を自動的に配信するようにしても良い。
【００５０】
図１６Ａ及び図１６Ｂは、ＭＲ応答処理に関わる移動端末４内の第４のＣＰＵ７４の処理動作の一例を示すフロー図である。尚、説明の便宜上、図１６の処理で記載する接続元の基地局３は搭載あり基地局３Ａとして説明する。図１６Ａにおいて移動端末４内の第４のＣＰＵ７４内の第４の制御部９１は、接続元の基地局３と通信中であるか否かを判定する（ステップＳ４１）。第４の制御部９１は、接続元の基地局３と通信中の場合（ステップＳ４１肯定）、接続元の基地局３との受信電界強度が所定レベルよりも低下したか否かを判定する（ステップＳ４２）。
【００５１】
第４の制御部９１は、接続元の基地局３との受信電界強度が所定レベルよりも低下した場合（ステップＳ４２肯定）、接続元の基地局３との間の現在の通信状態が圏外であるか否かを判定する（ステップＳ４３）。尚、通信状態が圏外とは、移動端末４が不感地帯に位置し、移動端末４と基地局３との間の通信が不可の状態である。第４のＣＰＵ７４内のＭＲ要求受信部８６は、現在の通信状態が圏外の場合（ステップＳ４３肯定）、通信中の接続元基地局３との間の通信が切断されたものと判断する。そして、ＭＲ要求受信部８６は、接続元の基地局３の周辺の基地局３からのＭＲ要求を受信したか否かを判定する（ステップＳ４４）。
【００５２】
第４のＣＰＵ７４内の抽出部８７は、周辺の基地局３からのＭＲ要求を受信した場合（ステップＳ４４肯定）、ＭＲ要求元の基地局３毎に基地局ＩＤ及び受信電界強度を取得する（ステップＳ４５）。尚、取得する基地局ＩＤは、ＭＲ要求元の基地局３を識別するＩＤ、取得する受信電界強度はＭＲ要求元の基地局３との間の電界強度である。
【００５３】
第４のＣＰＵ７４内の待機タイマ部９０は、ＭＲ要求元の基地局３毎の基地局ＩＤ及び受信電界強度を取得した後、待機タイマの計測動作を開始する（ステップＳ４６）。尚、待機タイマは、例えば、１０ｍ秒とする。第４のＣＰＵ７４内の判定部８８は、記憶部８１を参照し、ＭＲ要求元の基地局３の基地局ＩＤが一覧表内にあるか否かを判定する（ステップＳ４７）。第４のＣＰＵ７４内のＭＲ応答部８９は、ＭＲ要求元の基地局３の基地局ＩＤが一覧表にある場合（ステップＳ４７肯定）、当該ＭＲ要求元の基地局３に対してＭＲ応答を送信し（ステップＳ４８）、図１６Ａに示す処理動作を終了する。ＭＲ要求元の基地局３は、その基地局ＩＤが一覧表にあるため、搭載あり基地局３Ａである。その結果、ＭＲ要求元の搭載あり基地局３Ａは、ステップＳ４８にて移動端末４からのＭＲ応答に応じて、当該移動端末４との接続を要求する。そして、ＭＲ要求元の搭載あり基地局３Ａは、当該ＭＲ要求元の基地局３内のエッジサーバ８から移動端末４に対して通信サービスの提供を再開することになる。
【００５４】
待機タイマ部９０は、ＭＲ要求元の基地局３の基地局ＩＤが一覧表にない場合（ステップＳ４７否定）、ステップＳ４６で開始した待機タイマがタイムアップしたか否かを判定する（ステップＳ４９）。第４のＣＰＵ７４内のＭＲ応答部８９は、待機タイマがタイムアップした場合（ステップＳ４９肯定）、各ＭＲ要求元の基地局３に対してＭＲ応答を送信し（ステップＳ５０）、図１６Ａに示す処理動作を終了する。ＭＲ要求元の基地局３は、その基地局ＩＤが一覧表にないため、搭載なし基地局３Ｂである。その結果、ＭＲ要求元の搭載なし基地局３Ｂは、移動端末４からのＭＲ応答に基づき、受信レベルが良好な場合に、移動端末４との接続を要求する。そして、ＭＲ要求元の搭載なし基地局３Ｂは、コアネットワーク５内のアプリサーバ７から移動端末４に対して通信サービスの提供を再開することになる。
【００５５】
ＭＲ応答部８９は、待機タイマがタイムアップしたのでない場合（ステップＳ４９否定）、接続元の基地局３の周辺の基地局３からＭＲ要求を受信したか否かを判定する（ステップＳ５１）。ＭＲ応答部８９は、周辺の基地局３からＭＲ要求を受信した場合（ステップＳ５１肯定）、ＭＲ要求元の基地局３毎に基地局ＩＤ及び受信電界強度を取得する（ステップＳ５２）。そして、ＭＲ応答部８９は、ＭＲ要求元の基地局３の基地局ＩＤが一覧表にあるか否かを判定すべく、ステップＳ４７に移行する。つまり、第４のＣＰＵ７４は、待機タイマがタイムアップするまでＭＲ要求元の基地局３の内、搭載あり基地局３Ａを探索することになる。
【００５６】
第４のＣＰＵ７４は、周辺の基地局３からのＭＲ要求を受信しなかった場合（ステップＳ５１否定）、待機タイマがタイムアップしたか否かを判定すべく、ステップＳ４９に移行する。第４の制御部９１は、接続元の基地局３と通信中でない場合（ステップＳ４１否定）、又は、接続元の基地局３の受信電界強度が所定レベルよりも低下していない場合（ステップＳ４２否定）、図１６Ａに示す処理動作を終了する。ＭＲ要求受信部８６は、接続元の基地局３の周辺の基地局３からのＭＲ要求を受信しなかった場合（ステップＳ４４否定）、ＭＲ要求を受信したか否かを判定すべく、ステップＳ４４に移行する。
【００５７】
ＭＲ要求受信部８６は、現在の通信状態が圏外でない場合（ステップＳ４３否定）、すなわちハンドオーバ起動と判断し、接続元の基地局３から周辺ＭＲ要求を受信したか否かを判定する（ステップＳ６１）。尚、周辺ＭＲ要求は、移動端末４に対して周辺基地局３とのＭＲを要求するメッセージである。
【００５８】
抽出部８７は、接続元の基地局３から周辺ＭＲ要求を受信した場合（ステップＳ６１肯定）、周辺の基地局３毎に基地局ＩＤ及び受信電界強度を取得する（ステップＳ６２）。待機タイマ部９０は、周辺の基地局３毎に基地局ＩＤ及び受信電界強度を取得した後、待機タイマの計測動作を開始する（ステップＳ６３）。
【００５９】
判定部８８は、受信電界強度を取得した周辺基地局３の基地局ＩＤが一覧表内にあるか否かを判定する（ステップＳ６４）。ＭＲ応答部８９は、周辺基地局３の基地局ＩＤが一覧表にある場合（ステップＳ６４肯定）、接続元の基地局３に対して当該周辺の搭載あり基地局３のＭＲ応答を送信し（ステップＳ６５）、図１６Ｂに示す処理動作を終了する。その結果、接続元の基地局３は、移動端末４からの当該周辺の搭載あり基地局３ＡのＭＲ応答に基づき、当該搭載あり基地局３Ａを切替先とし、その切替先の搭載あり基地局３Ａに対して当該移動端末４への接続を要求する。そして、切替先の搭載あり基地局３Ａは、移動端末４との接続を開始し、当該切替先の搭載あり基地局３Ａ内に搭載したエッジサーバ８から当該移動端末４に通信サービスの提供を再開することになる。
【００６０】
待機タイマ部９０は、周辺の基地局３の基地局ＩＤが一覧表にない場合（ステップＳ６４否定）、ステップＳ６３で開始した待機タイマがタイムアップしたか否かを判定する（ステップＳ６６）。ＭＲ応答部８９は、待機タイマがタイムアップしたのでない場合（ステップＳ６６否定）、接続元の基地局３から周辺ＭＲ要求を再度受信したか否かを判定する（ステップＳ６７）。
【００６１】
ＭＲ応答部８９は、接続元の基地局３から周辺ＭＲ要求を受信した場合（ステップＳ６７肯定）、接続元の基地局３Ａの周辺の基地局３毎に基地局ＩＤ及び受信電界強度を取得する（ステップＳ６９）。そして、判定部８８は、周辺の基地局３の基地局ＩＤが一覧表にあるか否かを判定すべく、ステップＳ６４に移行する。待機タイマ部９０は、接続元の基地局３から周辺ＭＲ要求を受信しなかった場合（ステップＳ６７否定）、待機タイマがタイムアップしたか否かを判定すべく、ステップＳ６６に移行する。
【００６２】
ＭＲ応答部８９は、待機タイマがタイムアップした場合（ステップＳ６６肯定）、接続元の基地局３に対して各周辺の搭載なし基地局３Ｂの周辺ＭＲ応答を送信し（ステップＳ６８）、図１６Ｂに示す処理動作を終了する。その結果、接続元の基地局３は、移動端末４から各周辺の搭載なし基地局３Ｂの周辺ＭＲ応答を受信し、周辺ＭＲ応答に基づき、周辺の搭載なし基地局３Ｂの中から、受信レベルが良好な切替先の搭載なし基地局３Ｂを選択する。そして、接続元の基地局３は、その選択した切替先の搭載なし基地局３Ｂに対して移動端末４への接続を要求する。そして、切替先の搭載なし基地局３Ｂは、接続要求に応じて、移動端末４との接続を開始してハンドオーバを終了する。そして、切替先の搭載なし基地局３Ｂは、コアネットワーク５のアプリサーバ７から移動端末４に対する通信サービスの提供を再開することになる。ＭＲ要求受信部８６は、接続元の基地局３から周辺ＭＲ要求を受信しなかった場合（ステップＳ６１否定）、周辺ＭＲ要求を受信したか否かを判定すべく、ステップＳ６１に移行する。
【００６３】
移動端末４では、搭載あり基地局３Ａとの通信中に、移動に応じて、不感地帯に進入後、不感地帯から離脱した場合、接続元の搭載あり基地局３Ａ周辺の基地局３からＭＲ要求を検出し、ＭＲ要求元の基地局３の基地局ＩＤが一覧表にあるか否かを判定する。移動端末４は、ＭＲ要求元の基地局３の基地局ＩＤが一覧表にある場合、当該ＭＲ要求元の基地局３が搭載あり基地局３Ａと判断し、当該ＭＲ要求元の搭載あり基地局３ＡにＭＲ応答を送信する。その結果、ＭＲ要求元の搭載あり基地局３Ａは、ＭＲ応答を受信した場合、当該移動端末４との接続を開始し、エッジサーバ８から移動端末４に対して通信サービスの提供を再開し、通信サービスの使用を継続できる。
【００６４】
移動端末４では、搭載あり基地局３Ａとの通信中に、移動に応じて、不感地帯に進入後、不感地帯から離脱した場合、接続元の搭載あり基地局３Ａ周辺の基地局３からＭＲ要求を検出し、ＭＲ要求元の基地局３の基地局ＩＤが一覧表にあるか否かを判定する。移動端末４は、待機タイマがタイムアップするまでＭＲ要求元の基地局３の基地局ＩＤが一覧表にない場合、ＭＲ要求元に搭載あり基地局３Ａがないと判断し、各ＭＲ要求元の搭載なし基地局３ＢにＭＲ応答を送信する。その結果、ＭＲ要求元の搭載なし基地局３Ｂは、ＭＲ応答を受信しなかった場合、当該移動端末４との接続を開始し、コアネットワーク５と接続するアプリサーバ７から移動端末４に対して通信サービスの提供を再開し、通信サービスの使用を継続できる。
【００６５】
移動端末４では、アプリサーバ７との通信中に、移動に応じて、不感地帯に進入後、不感地帯から離脱した場合、接続元の搭載あり基地局３Ａ周辺の基地局３からＭＲ要求を検出し、ＭＲ要求元の基地局３の基地局ＩＤが一覧表にあるか否かを判定する。移動端末４は、ＭＲ要求元の基地局３の基地局ＩＤが一覧表にある場合、当該ＭＲ要求元の基地局３が搭載あり基地局３Ａと判断し、当該ＭＲ要求元の搭載あり基地局３ＡにＭＲ応答を送信する。その結果、ＭＲ要求元の搭載あり基地局３Ａは、ＭＲ応答を受信した場合、当該移動端末４との接続を開始し、アプリサーバ７から自局のエッジサーバ８に切替える。そして、ＭＲ要求元の搭載あり基地局３Ａは、エッジサーバ８から移動端末４に対して通信サービスの提供を再開し、通信サービスの使用を継続できる。
【００６６】
移動端末４では、アプリサーバ７との通信中に、移動に応じて、不感地帯に進入後、不感地帯から離脱した場合、接続元の搭載あり基地局３Ａの周辺の基地局３からＭＲ要求を検出し、ＭＲ要求元の基地局３の基地局ＩＤが一覧表にあるか否かを判定する。移動端末４は、待機タイマがタイムアップするまでＭＲ要求元の基地局３の基地局ＩＤが一覧表にない場合、ＭＲ要求元の基地局３が搭載なし基地局３Ｂと判断し、各ＭＲ要求元の搭載なし基地局３ＢにＭＲ応答を送信する。その結果、ＭＲ要求元の搭載なし基地局３Ｂは、ＭＲ応答を受信しなかった場合、当該移動端末４との接続を開始し、コアネットワーク５と接続するアプリサーバ７から移動端末４に対して通信サービスの提供を再開し、通信サービスの使用を継続できる。
【００６７】
移動端末４では、搭載あり基地局３Ａとの通信中に、移動に応じて、受信レベルが低下してハンドオーバ機能を起動した場合、接続元の搭載あり基地局３Ａから周辺ＭＲ要求を検出する。移動端末４は、周辺ＭＲ要求内の切替先の基地局３の基地局ＩＤが一覧表にあるか否かを判定する。移動端末４は、切替先の基地局３の基地局ＩＤが一覧表にある場合、切替先の基地局３が搭載あり基地局３Ａと判断し、当該搭載あり基地局３Ａの周辺ＭＲ応答を接続元の基地局３に送信する。接続元の基地局３は、周辺ＭＲ応答を受信した場合、周辺ＭＲ応答の切替先の搭載あり基地局３Ａに移動端末４の接続を要求する。そして、切替先の搭載あり基地局３Ａは、移動端末４との接続を開始し、自局のエッジサーバ８から移動端末４に対して通信サービスの提供を再開し、通信サービスの使用を継続できる。
【００６８】
移動端末４では、搭載あり基地局３Ａとの通信中に、移動に応じて、受信レベルが低下してハンドオーバ機能を起動し、接続元の搭載あり基地局３Ａから周辺ＭＲ要求を検出し、周辺ＭＲ要求内の切替先の基地局３の基地局ＩＤが一覧表にあるか否かを判定する。移動端末４は、待機タイマがタイムアップするまで切替先の基地局３の基地局ＩＤが一覧表にない場合、切替先の基地局３に搭載あり基地局３Ａがないと判断し、搭載なし基地局３Ｂの周辺ＭＲ応答を接続元の基地局３に送信する。接続元の基地局３は、周辺ＭＲ応答を受信した場合、周辺ＭＲ応答の切替先の搭載なし基地局３Ｂの内、受信レベルが良好な切替先の搭載なし基地局３Ｂを選択し、その切替先の搭載なし基地局３Ｂに移動端末４の接続を要求する。そして、切替先の搭載なし基地局３Ｂは、当該移動端末４との接続を開始し、コアネットワーク５と接続するアプリサーバ７から移動端末４に対して通信サービスの提供を再開し、通信サービスの使用を継続できる。
【００６９】
移動端末４は、エッジサーバ８が提供する通信サービスを受ける。エッジサーバ８は、基地局３等に配備され、クラウドとの通信時の遅延時間短縮や、クラウドへの通信トラフィック軽減などを目的に、可能な限り近傍の基地局３に配備されたサーバがあれば、それと通信する。
【００７０】
不感地帯を離脱した移動端末４は、通信サービスを再開するために、受信電波強度が一番強い基地局３と接続する。移動端末４は、その基地局３が搭載なし基地局３Ｂの場合、全基地局３を管理している管理サーバ２に、隣接する周辺の搭載あり基地局３Ａの基地局ＩＤを問合せ、その基地局ＩＤで基地局３と再接続することも考えられる。しかしながら、ビルやトンネル等の電波遮蔽物や、基地局３の少ない山間部等、多数の不感地帯付近で問合せが発生した場合、管理サーバ２までの伝送経路にトラフィック負荷が生じ、管理サーバ２の問合せ負荷が集中することも考えられる。本実施例では、通信サービスを利用中の移動端末４では、不感地帯を離脱した後、通信可能な基地局３の内、事前に取得した一覧表を使用して、搭載あり基地局３Ａを選択して接続する。その結果、コアネットワーク５に接続するアプリサーバ７への接続や管理サーバ２への基地局ＩＤの問合せが不要となる。
【００７１】
尚、管理サーバ２は、マップテーブル２１を参照し、基地局３毎に隣接する周辺の基地局３を基地局ＩＤ単位で識別したが、複数の基地局３をエリアＩＤ単位で管理し、周辺の基地局をエリアＩＤ単位で識別しても良く、適宜変更可能である。この場合、検索部２５は、新規設置の搭載あり基地局３Ａ周辺の搭載あり基地局３Ａを探索する際、新規設置の搭載あり基地局３Ａと同一のエリアＩＤの基地局３を周辺の基地局３として検索しても良く、適宜変更可能である。
【００７２】
尚、説明の便宜上、エッジサーバ８は基地局３の近傍、すなわち当該基地局３の内部又は外部に接続したが、クラウドに設けても良く、適宜変更可能である。
【００７３】
上記実施例では、スマートフォン等の移動端末４を例示したが、例えば、携帯電話機、携帯用ゲーム端末やタブレット端末等であっても良い。
【００７４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７５】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００７６】
ところで、本実施例で説明した各種の処理は、予め用意されたプログラムを情報処理装置で実行することで実現できる。そこで、以下では、上記実施例と同様の機能を有するプログラムを実行する情報処理装置の一例を説明する。図１７は、報告応答プログラムを実行する情報処理装置の一例を示す説明図である。
【００７７】
図１７に示すＭＲ応答プログラムを実行する情報処理装置１００では、無線ＩＦ１１０と、ＲＯＭ１２０と、ＲＡＭ１３０と、ＣＰＵ１４０とを有する。情報処理装置１００は、複数の基地局と無線接続すると共に、複数の基地局の内、通信サービスを提供するサーバを搭載した基地局と無線接続し、当該サーバから通信サービスを取得する。
【００７８】
そして、ＲＯＭ１２０には、上記実施例と同様の機能を発揮するＭＲ応答プログラムが予め記憶されている。尚、ＲＯＭ１２０ではなく、図示せぬドライブで読取可能な記録媒体に報告応答プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。ＭＲ応答プログラムとしては、図１７に示すように、判定プログラム１２０Ａ及び応答プログラム１２０Ｂである。尚、プログラム１２０Ａ及び１２０Ｂについては、適宜統合又は分散しても良い。
【００７９】
そして、ＣＰＵ１４０は、これらのプログラム１２０Ａ及び１２０ＢをＲＯＭ１２０から読み出し、これら読み出された各プログラムを実行する。そして、ＣＰＵ１４０は、図１７に示すように、各プログラム１２０Ａ及び１４０Ｂを、判定プロセス１４０Ａ及び応答プロセス１４０Ｂとして機能する。ＲＡＭ１３０は、サーバを搭載した基地局を識別する識別情報を記憶する領域である。
【００８０】
ＣＰＵ１４０は、基地局からＭＲ(Measurement  Report)要求を受信した場合に、ＭＲ要求元の基地局の識別情報がＲＡＭ１３０にあるか否かを判定する。ＣＰＵ１４０は、前記ＭＲ要求元の基地局の識別情報が前記記憶部内にある場合に、前記ＭＲ要求に応答するＭＲ応答を送信する。また、ＣＰＵ１４０は、前記ＭＲ要求元の基地局の識別情報が前記記憶部内にない場合に、前記ＭＲ要求に応答するＭＲ応答の送信を保留する。その結果、通信サービスを継続できる。
【符号の説明】
【００８１】
３  基地局
３Ａ  搭載あり基地局
４  移動端末
８  エッジサーバ
８１  記憶部
８８  判定部
８９  ＭＲ応答部
【図１】
2019097041.tif 000003
【図２】
2019097041.tif 000004
【図３】
2019097041.tif 000005
【図４】
2019097041.tif 000006
【図５】
2019097041.tif 000007
【図６】
2019097041.tif 000008
【図７】
2019097041.tif 000009
【図８】
2019097041.tif 000010
【図９】
2019097041.tif 000011
【図１０】
2019097041.tif 000012
【図１１】
2019097041.tif 000013
【図１２】
2019097041.tif 000014
【図１３】
2019097041.tif 000015
【図１４】
2019097041.tif 000016
【図１５】
2019097041.tif 000017
【図１６Ａ】
2019097041.tif 000018
【図１６Ｂ】
2019097041.tif 000019
【図１７】
2019097041.tif 000020